(57)【要約】【課題】複数のコンテンツ再生装置でコンテンツを共有する際に、コンテンツ再生装置の位置及びコンテンツの提供地域に応じた共有の仕組みを実現する。【課題手段】制御部２１は、受信した共有ＵＲＩに対応する番組ＩＤをキーにして番組コンテンツＤＢ２３１を検索し、受信した位置情報が示す位置が番組ＩＤに対応する提供地域に含まれるか否かを判断する（ステップＳ２５）。含まれていれば、共有を要求した第２のコンテンツ再生装置１は提供地域に居ることになるから（ステップＳ２５：ＹＥＳ）、制御部２１は、共有ＵＲＩによって指定されたリソースから再生開始日時以降の番組コンテンツのデータを読み出し、第２のコンテンツ再生装置１に送信する（ステップＳ２７）。【選択図】図１０
2018005330.tif 000002
【特許請求の範囲】
【請求項１】
各々のコンテンツが提供される提供地域を記憶する記憶手段と、
第１のコンテンツ再生装置によって共有対象となるコンテンツが指定されると、指定された前記コンテンツを第２のコンテンツ再生装置と共有するための共有情報を、前記第１のコンテンツ再生装置に送信する共有情報送信手段と、
前記第２のコンテンツ再生装置から、当該第２のコンテンツ再生装置の位置を示す位置情報と前記共有情報とを取得する取得手段と、
取得された前記共有情報によって識別されるコンテンツについて前記記憶手段に記憶されている提供地域が、取得された前記位置情報によって示される位置を含む場合には、当該コンテンツを前記第２のコンテンツ再生装置に送信するコンテンツ送信手段と
を備えることを特徴とするコンテンツ配信装置。
【請求項２】
前記コンテンツ送信手段は、
取得された前記共有情報によって識別されるコンテンツについて前記記憶手段に記憶されている第１の提供地域が、前記位置情報によって示される前記第２のコンテンツ再生装置の位置を含まない場合に、
当該第２のコンテンツ再生装置の位置を含む第２の提供地域で配信されているコンテンツのうち、取得された前記共有情報によって識別されるコンテンツと同一のコンテンツがあるときには、当該コンテンツを前記第２のコンテンツ再生装置に送信する
ことを特徴とする請求項１記載のコンテンツ配信装置。
【請求項３】
前記共有情報は、前記コンテンツが記憶されているリソースを示す情報であり、
前記記憶手段は、前記共有情報と、当該コンテンツの提供の可否に関する可否情報とを対応付けて記憶しており、
前記コンテンツ送信手段は、前記共有情報に対応付けて記憶された可否情報に基づいて前記コンテンツの提供の可否を判断する
ことを特徴とする請求項１又は２記載のコンテンツ配信装置。
【請求項４】
前記コンテンツ送信手段は、前記第１のコンテンツ再生装置１に対する前記コンテンツの放送が終了したのちに当該コンテンツを前記第２のコンテンツ再生装置に送信する
ことを特徴とする請求項１〜３のいずれか１項に記載のコンテンツ配信装置。
【請求項５】
請求項１〜４のいずれか１項に記載のコンテンツ配信装置と、
共有対象となるコンテンツを共有するための共有情報を前記コンテンツ配信装置から受信する第１のコンテンツ再生装置と、
前記第１のコンテンツ再生装置から通知された前記共有情報と自装置の位置を示す位置情報とを前記コンテンツ配信装置に送信し、前記コンテンツ配信装置から送信されてくるコンテンツを再生する第２のコンテンツ再生装置と
を備えることを特徴とするコンテンツ配信システム。
【発明の詳細な説明】
【技術分野】
【０００１】
本発明は、複数のユーザでコンテンツを共有するための技術に関する。
【背景技術】
【０００２】
コンテンツの共有方法として、例えば特許文献１に記載された仕組みがある。この仕組みでは、再生可能なコンテンツのデータ形式が異なる複数の端末間でユーザがコンテンツを継続して視聴できるように、コンテンツにおいて再生を停止した位置を記録し、さらにその位置からコンテンツのデータ形式を変換して共有先の端末へ送信する。また、特許文献２に記載された仕組みでは、配信先となる端末の設置地域に応じて配信対象となるコンテンツの内容を変更する。
【先行技術文献】
【特許文献】
【０００３】
【特許文献１】特許第５６０１３２４号公報
【特許文献２】特開２００４−３０３２７号公報
【発明の概要】
【発明が解決しようとする課題】
【０００４】
コンテンツは地域単位で提供（放送）されることがあり、この場合、本来の提供地域以外でのコンテンツの共有が許されないケースが考えられる。そこで、本発明は、複数のコンテンツ再生装置でコンテンツを共有する際に、コンテンツ再生装置の位置及びコンテンツの提供地域に応じた共有の仕組みを実現することを目的とする。
【課題を解決するための手段】
【０００５】
上記課題を解決するため、本発明は、各々のコンテンツが提供される提供地域を記憶する記憶手段と、第１のコンテンツ再生装置によって共有対象となるコンテンツが指定されると、指定された前記コンテンツを第２のコンテンツ再生装置と共有するための共有情報を、前記第１のコンテンツ再生装置に送信する共有情報送信手段と、前記第２のコンテンツ再生装置から、当該第２のコンテンツ再生装置の位置を示す位置情報と前記共有情報とを取得する取得手段と、取得された前記共有情報によって識別されるコンテンツについて前記記憶手段に記憶されている提供地域が、取得された前記位置情報によって示される位置を含む場合には、当該コンテンツを前記第２のコンテンツ再生装置に送信するコンテンツ送信手段とを備えることを特徴とするコンテンツ配信装置を提供する。
【０００６】
前記コンテンツ送信手段は、取得された前記共有情報によって識別されるコンテンツについて前記記憶手段に記憶されている第１の提供地域が、前記位置情報によって示される前記第２のコンテンツ再生装置の位置を含まない場合に、当該第２のコンテンツ再生装置の位置を含む第２の提供地域で配信されているコンテンツのうち、取得された前記共有情報によって識別されるコンテンツと同一のコンテンツがあるときには、当該コンテンツを前記第２のコンテンツ再生装置に送信してもよい。
【０００７】
前記共有情報は、前記コンテンツが記憶されているリソースを示す情報であり、前記記憶手段は、前記共有情報と、当該コンテンツの提供の可否に関する可否情報とを対応付けて記憶しており、前記コンテンツ送信手段は、前記共有情報に対応付けて記憶された可否情報に基づいて前記コンテンツの提供の可否を判断してもよい。
【０００８】
前記コンテンツ送信手段は、前記第１のコンテンツ再生装置１に対する前記コンテンツの放送が終了したのちに当該コンテンツを前記第２のコンテンツ再生装置に送信してもよい。
【０００９】
また、本発明は、上記のいずれかのコンテンツ配信装置と、共有対象となるコンテンツを共有するための共有情報を前記コンテンツ配信装置から受信する第１のコンテンツ再生装置と、  前記第１のコンテンツ再生装置から通知された前記共有情報と自装置の位置を示す位置情報とを前記コンテンツ配信装置に送信し、前記コンテンツ配信装置から送信されてくるコンテンツを再生する第２のコンテンツ再生装置とを備えることを特徴とするコンテンツ配信システムを提供する。
【発明の効果】
【００１０】
本発明によれば、複数のコンテンツ再生装置でコンテンツを共有する際に、コンテンツ再生装置の位置及びコンテンツの提供地域に応じた共有の仕組みを実現することができる。
【図面の簡単な説明】
【００１１】
【図１】本発明の実施形態にかかるコンテンツ配信システムの全体構成を示す図である。
【図２】コンテンツ再生装置のハードウェア構成を示す図である。
【図３】コンテンツ配信装置のハードウェア構成を示す図である。
【図４】番組コンテンツＤＢのデータ構成例を示す図である。
【図５】ＣＭコンテンツＤＢのデータ構成例を示す図である。
【図６】ユーザＤＢのデータ構成例を示す図である。
【図７】共有ＤＢのデータ構成例を示す図である。
【図８】コンテンツ配信装置の機能構成を示す図である。
【図９】システム全体の動作を示すシーケンス図である。
【図１０】システム全体の動作を示すシーケンス図である。
【発明を実施するための形態】
【００１２】
［構成］
図１は、本発明の実施形態に係るコンテンツ配信システムの全体構成を示すブロック図である。このシステムは、ユーザによって操作される複数のコンテンツ再生装置１と、コンテンツ再生装置１に対してコンテンツを配信するコンテンツ配信装置２と、これらを通信可能に接続するネットワーク３とを備えている。ネットワーク３は移動通信網及び固定通信網を含んでいる。コンテンツ再生装置１は、例えばスマートホンやタブレット或いはウェアラブル端末などのコンピュータであり、ネットワーク３に含まれる移動通信網の基地局と無線通信を行う通信機能と、コンテンツを再生する再生機能とを備えている。コンテンツ配信装置２は、ネットワーク３に含まれる固定通信網に接続されたコンピュータであり、複数のコンテンツを記憶している。コンテンツ配信装置２に記憶されているコンテンツは、例えばニュース、ドラマ、映画などの各種番組に関する番組コンテンツと、その番組コンテンツに挿入されるコマーシャル（以下、ＣＭという）に関するＣＭコンテンツとを含んでいる。コンテンツ再生装置１及びコンテンツ配信装置２の数は任意であるが、図１では、２つのコンテンツ再生装置１及び１つのコンテンツ配信装置２を例示している。
【００１３】
図２は、コンテンツ再生装置１のハードウェア構成を示すブロック図である。コンテンツ再生装置１は、制御部１１と、無線通信部１２と、記憶部１３と、ＵＩ部１４と備えている。制御部１１は、ＣＰＵ（Central Processing Unit）などの演算処理装置と、ＲＯＭ（Read Only Memory）及びＲＡＭ（Random Access Memory）などの記憶装置とを備えている。ＲＯＭには、ＣＰＵによって実行されるプログラムが記憶されている。ＣＰＵは、ＲＡＭをワークエリアとして用いてＲＯＭや記憶部１３に記憶されたプログラムを実行することによって、コンテンツ再生装置１の各部の動作を制御する。無線通信部１２は、アンテナや通信回路を備えており、移動通信網の基地局と無線通信を行う。記憶部１３は、例えばＥＥＰＲＯＭ（Electronically Erasable and Programmable ROM）やフラッシュメモリなどの記憶手段であり、制御部１１が用いるデータ群やプログラム群を記憶している。ＵＩ（User Interface）部１４は、キーやタッチセンサなどの操作子が設けられた操作部と、液晶パネルや液晶駆動回路などの表示部とを含んでいる。測位部１５は、例えばＧＰＳ（Global Positioning System）によってコンテンツ再生装置１の位置を緯度経度方式で測位する。コンテンツ再生装置１は、これらの構成以外に、例えばマイク、スピーカ、カメラ又は各種センサなどを含んでいてもよい。
【００１４】
図３は、コンテンツ配信装置２のハードウェア構成を示すブロック図である。コンテンツ配信装置２は、制御部２１と、通信部２２と、記憶部２３とを備えている。制御部２１は、ＣＰＵ等の演算装置と、ＲＯＭ及びＲＡＭなどの記憶装置とを備えている。ＣＰＵは、ＲＡＭをワークエリアとして用いてＲＯＭや記憶部２３に記憶されたプログラムを実行することによって、コンテンツ配信装置２の各部の動作を制御する。通信部２２はネットワーク３に接続されている。記憶部２３は、例えばハードディスク等の大容量で不揮発性の記憶手段である。記憶部２３は、制御部１１が用いるデータ群やプログラム群を記憶している。例えば、記憶部１３は、コンテンツを示すデータのほか、番組コンテンツに関する情報を含む番組コンテンツデータベース（以下、データベースをＤＢと略する）２３１と、ＣＭコンテンツに関する情報を含むＣＭコンテンツＤＢ２３２と、このコンテンツ共有に係るサービスにおけるユーザの契約に関する情報を含むユーザＤＢ２３３と、コンテンツを共有するための関する情報を含む共有ＤＢ２３４とを記憶している。以下、これらのデータベースの内容について説明する。
【００１５】
図４は、番組コンテンツＤＢ２３１のデータ構成例を示す図である。番組コンテンツは地域単位でその提供される地域が決まっている。ここでいうコンテンツの提供とは、決められたチャンネルや日時にて各コンテンツ再生装置１に対して一斉に放送される形態と、放送されたコンテンツをコンテンツ再生装置１間で共有する目的でコンテンツ配信装置２からコンテンツ再生装置１に対して個別に配信される形態との双方を含む。番組コンテンツＤＢ２３１においては、各々の番組コンテンツの識別情報である番組ＩＤと、その番組コンテンツの番組名と、その番組コンテンツが提供（上述したように放送又は配信を含む）される地域である提供地域と、その番組コンテンツが放送されるチャンネルと、その番組コンテンツが放送される放送日時と、その番組コンテンツの共有が可能か否かを示す共有可否フラグとが対応付けられている。図４の例では、例えば番組ＩＤ：１１１で番組名：番組Ａの番組コンテンツは、地域ａにおいてチャンネルｘで２０１６／４／１1の１１：００−１２：００の時間帯に放送される。この番組コンテンツは、共有可否フラグが可であるから、コンテンツ再生装置１間で共有可能である。この共有可否フラグは番組コンテンツの作成者やシステム管理者等によって任意に決められる。
【００１６】
図５は、ＣＭコンテンツＤＢ２３２のデータ構成例を示す図である。ＣＭコンテンツＤＢ２３２においては、各々のＣＭコンテンツの識別情報であるＣＭＩＤと、そのＣＭコンテンツが提供される地域である提供地域と、そのＣＭコンテンツが放送されるチャンネルと、そのＣＭコンテンツのファイル名とが対応付けられている。図５の例では、例えばＣＭＩＤ：０１１でファイル名１１１．ｈｌｓＣＭコンテンツは、地域ａにおいてチャンネルｘで放送される。
【００１７】
図６は、ユーザＤＢ２３３のデータ構成例を示す図である。ユーザＤＢ２３３においては、各々のユーザの識別情報であるユーザＩＤと、そのユーザに対してコンテンツの提供地域以外の地域でそのコンテンツの提供を行う契約（地域外提供契約）がなされているか否かを示す契約フラグとが対応付けられている。図６の例では、例えばユーザＩＤ：Ｕ０００１のユーザは地域外提供契約がある。前述したように、番組コンテンツは地域単位でその提供される地域が決まっているが、コンテンツの共有を目的としたコンテンツ配信については、コンテンツの提供地域以外の地域であってもそのコンテンツの提供を行う場合がある。このような地域外提供契約については、コンテンツごとにその契約そのものが可能か否かが決まっていてもよい。また、地域外提供契約については通常よりも割増しのサービス料金が決まっていてもよい。
【００１８】
図７は、共有ＤＢ２３４のデータ構成例を示す図である。共有ＤＢ２３４においては、番組コンテンツを共有するための共有情報である共有ＵＲＩ（Uniform Resource Identifier）と、その番組コンテンツの番組ＩＤと、その番組コンテンツの再生開始日時と、その共有ＵＲＩの有効期限と、共有ＵＲＩが無効か否かを示す無効フラグとが対応付けられている。図７の例では、例えば番組ＩＤ：１１１の番組コンテンツは、https://xxx/abcというＵＲＩに格納されており、再生開始日時は２０１６／４／１の１２：３６：１０であり、有効期限は２０１６／６／３０の２３：５９：５９であり、共有ＵＲＩは有効状態である。共有ＵＲＩは、番組コンテンツが記憶されているリソースを示す情報であり、一意かつユーザにより不正にＵＲＩの生成が行われないよう、番組コンテンツの番組名や放送日時に基づいて十分に長い文字列を生成するハッシュ関数等によって生成される。無効フラグは、共有ＵＲＩの有効期限が経過したときに無効状態に切り替えられるが、それ以外にも、例えば番組コンテンツの作成者やシステム管理者等によって有効状態または無効状態が相互に切り替えられるが、切り替えられてもよいし、共有ＵＲＩを用いた番組コンテンツの共有回数が閾値を超えた場合に有効状態から無効状態に切り替えられてもよい。
【００１９】
次に、図８は、コンテンツ配信装置２の機能構成を示す図である。記憶手段２１０は、主に制御部２１及び記憶部２３によって実現される機能であり、各々のコンテンツが提供される提供地域を記憶する。共有情報送信手段２２０は、主に制御部２１及び通信部２２によって実現される機能であり、第１のコンテンツ再生装置１によって第２のコンテンツ再生装置１との共有対象となるコンテンツが指定されると、指定されたコンテンツを第２のコンテンツ再生装置１において共有するための共有情報（共有ＵＲＩ）を、第１のコンテンツ再生装置１に送信する。取得手段２３０は、主に制御部２１及び通信部２２によって実現される機能であり、第２のコンテンツ再生装置１から、第２のコンテンツ再生装置１の位置を示す位置情報と共有情報とを取得する。コンテンツ送信手段２４０は、主に制御部２１及び通信部２２によって実現される機能であり、取得された共有情報によって識別されるコンテンツについて記憶手段２１０に記憶されている提供地域が、取得された位置情報によって示される位置を含む場合には、そのコンテンツを第２のコンテンツ再生装置１に送信する。
【００２０】
［動作］
次に本実施形態の動作を説明する。
［共有ＵＲＩ通知］
図９を参照しながら、第１のコンテンツ再生装置１が第２のコンテンツ再生装置１に対して共有ＵＲＩを通知するまでの手順について説明する。図９において、第１のコンテンツ再生装置１がコンテンツ配信装置２からネットワーク３経由の番組コンテンツ（番組ＩＤ：１１１）の放送を受信して再生しているとする（ステップＳ１１，Ｓ１２）。このように第１のコンテンツ再生装置１において、放送されている番組コンテンツが再生されている状態で、第１のコンテンツ再生装置１のユーザによってその番組コンテンツを共有するための操作が行われたとする（ステップＳ１３）。この操作に応じて、第１のコンテンツ再生装置１の制御部１１は、再生中の番組コンテンツの番組ＩＤと、その操作が行われたときの日時（番組コンテンツにおける再生開始日時）とを、共有対象となるコンテンツを指定するコンテンツ指定情報としてコンテンツ配信装置２に送信する（ステップＳ１４）
【００２１】
コンテンツ配信装置２の制御部２１は、受信した番組ＩＤをキーにして番組コンテンツＤＢ２３１を検索し、その番組ＩＤに対応する共有可否フラグに基づいて、指定された番組コンテンツが共有可能か否かを判断する（ステップＳ１５）。共有可能の場合は（ステップＳ１５：ＹＥＳ）、制御部２１は、その番組コンテンツの再生開始日時に相当するリソースを示す共有ＵＲＩを生成し、共有ＤＢ２３４に共有ＵＲＩ、番組ＩＤ及び再生開始日時を登録する（ステップＳ１６）。そして、制御部２１は、生成した共有ＵＲＩを第１のコンテンツ再生装置１に送信する（ステップＳ１７）。
【００２２】
第１のコンテンツ再生装置１の制御部１１は、共有ＵＲＩを受信すると、番組コンテンツの共有方法の選択肢を表示し、いずれかを選択するようユーザに促す。ここで用いられる選択肢には、例えば電子メール、ＳＮＳ（Social Networking Service）、メッセンジャー、インターネット上の掲示板などの、他人とコミュニケーションをとるための手段のうち任意のものが用いられる。制御部１１は、これら選択肢のうちユーザによって選択されたものを用いて第２のコンテンツ再生装置１に対して共有ＵＲＩを通知する（ステップＳ１８）。なお、番組コンテンツが共有不可の場合は、コンテンツ配信装置２の制御部２１は、その旨を第１の第1のコンテンツ再生装置１に通知し、この通知に応じて、第１のコンテンツ再生装置１の制御部１１は、共有不可の旨をユーザに提示する。
【００２３】
［コンテンツ共有］
次に、図１０を参照しながら、第２のコンテンツ再生装置１が第１のコンテンツ再生装置１から通知された共有ＵＲＩを用いて番組コンテンツを共有、再生する手順について説明する。図１０において、第２のコンテンツ再生装置１の制御部１１は、共有ＵＲＩを指定したコンテンツ共有操作を受け付けると（ステップＳ２１）、測位部１５によって自装置の位置を測位し（ステップＳ２２）、その位置を示す位置情報と共有ＵＲＩとをコンテンツ配信装置２に送信する。（ステップＳ２３）。
【００２４】
コンテンツ配信装置２の制御部２１は、受信した共有ＵＲＩをキーにして共有ＤＢ２３４を検索し、その共有ＵＲＩに対応する無効フラグ及び共有ＵＲＩ有効期限を確認して、番組コンテンツの共有が有効か否かを判断する（ステップＳ２４）。
【００２５】
番組コンテンツの共有が有効である場合（ステップＳ２４：ＮＯ）、制御部２１は、受信した共有ＵＲＩに対応する番組ＩＤをキーにして番組コンテンツＤＢ２３１を検索し、受信した位置情報が示す位置が番組ＩＤに対応する提供地域に含まれるか否かを判断する（ステップＳ２５）。含まれていれば、共有を要求した第２のコンテンツ再生装置１は提供地域に居ることになるから（ステップＳ２５：ＹＥＳ）、制御部２１は、共有ＵＲＩによって指定されたリソースから再生開始日時以降の番組コンテンツのデータを読み出し、第２のコンテンツ再生装置１に送信する（ステップＳ２７）。
【００２６】
一方、制御部２１は、受信した位置情報が示す位置が番組ＩＤに対応する提供地域に含まれていない場合は（ステップＳ２５：ＮＯ）、第２のコンテンツ再生装置１の識別情報等から第２のコンテンツ再生装置１のユーザのユーザＩＤを特定し、そのユーザＩＤをキーにしてユーザＤＢ２３３を検索し、地域外提供契約の有無を確認する（ステップＳ２６）。含まれていれば、地域外提供契約が有れば（ステップＳ２６：ＹＥＳ）、制御部２１は、共有ＵＲＩによって指定されたリソースから再生開始日時以降の番組コンテンツのデータを読み出し、第２のコンテンツ再生装置１に送信する（ステップＳ２７）。
【００２７】
このステップＳ２７の番組コンテンツ提供時において、制御部２１は、第２のコンテンツ再生装置１の位置を提供地域に含むＣＭコンテンツをＣＭコンテンツＤＢ２３２から読み出し、上記番組コンテンツに対して読み出したＣＭコンテンツを例えば一定期間ごとに割り込ませて送信する。つまり、制御部２１は、番組コンテンツを要求する第２のコンテンツ再生装置１の位置に応じて、その位置を含む地域で提供されるＣＭコンテンツを番組コンテンツに割り込ませて配信する。このようにすれば、第２のコンテンツ再生装置１の位置に応じたＣＭコンテンツを提供することができる。
【００２８】
第２のコンテンツ再生装置１は受信した番組コンテンツ及びＣＭコンテンツを再生する（ステップＳ２８）。これにより、第１のコンテンツ再生装置１のユーザと第２のコンテンツ再生装置１のユーザとでコンテンツを共有することができる。なお、番組コンテンツを送信できない場合は、コンテンツ配信装置２の制御部２１は、その旨を第２のコンテンツ再生装置１に通知し、この通知に応じて、第２のコンテンツ再生装置１の制御部１１は再生不可の旨をユーザに提示する。
【００２９】
以上説明した実施形態によれば、コンテンツ再生装置１の位置に応じて番組コンテンツの配信の可否を判断する。これにより、複数のコンテンツ再生装置１でコンテンツを共有する際に、コンテンツ再生装置１の位置及びコンテンツの提供地域に応じた共有を実現することが可能となる。
【００３０】
［変形例］
上述した実施形態は次のような変形が可能である。また、以下の変形例を互いに組み合わせて実施してもよい。
［変形例１］
図１０のステップＳ２５，Ｓ２６において、コンテンツ配信装置２の制御部２１は、第２のコンテンツ再生装置１の位置が番組コンテンツの提供地域外であり且つ地域外提供契約も締結していない場合に、番組コンテンツを配信不可とするのではなく、再生開始日時から一定時間（例えば５分間）だけ番組コンテンツを第２のコンテンツ再生装置１に送信するようにしてもよい。このようにすれば、第２のコンテンツ再生装置１の位置が番組コンテンツの提供地域外であり且つ地域外提供契約も締結していない場合であっても、コンテンツの共有が一部可能となる。
【００３１】
［変形例２］
また、図１０のステップＳ２５Ｓ，２６において、コンテンツ配信装置２の制御部２１は、第２のコンテンツ再生装置１の位置が番組コンテンツの提供地域外であり且つ地域外提供契約も締結していない場合に、番組コンテンツを配信不可とするのではなく、第２のコンテンツ再生装置１の位置に応じた地域において、同一内容の番組コンテンツが存在する場合には、その番組コンテンツを再生開始日時から一定時間或いは時間制限なく配信するようにしてもよい。つまり、同一の番組コンテンツが異なる地域に跨って提供されているケースもあるから、このようなケースでは、制御部２１は、共有対象となる番組コンテンツについて記憶されている提供地域（第１の提供地域）が第２のコンテンツ再生装置１の位置を含まない場合に、その第２のコンテンツ再生装置１の位置を含む提供地域（第１の提供地域と一部重複する第２の提供地域）で配信されているコンテンツのうち、上記コンテンツと同一内容のコンテンツがあるときには、そのコンテンツを第２のコンテンツ再生装置１に送信する。このようにすれば、第２のコンテンツ再生装置１の位置が番組コンテンツの提供地域外であり且つ地域外提供契約も締結していない場合であっても、コンテンツの共有が可能となる。
【００３２】
［変形例３］
第２のコンテンツ再生装置１に対してコンテンツが配信されている期間にわたって、第２のコンテンツ再生装置１の制御部１１は定期的に位置情報をコンテンツ配信装置２に送信し、コンテンツ配信装置２の制御部２１は、受信した位置情報が示す位置が、提供地域外となった場合には、図１０のステップＳ２５以降と同様の処理を行う。ただし、コンテンツ配信装置２は、第２のコンテンツ再生装置１の位置が一時的に提供地域外となった場合であっても、所定期間はコンテンツの配信を継続し、所定期間内に第２のコンテンツ再生装置１が提供地域内に戻ってこない場合に限ってコンテンツの配信を中止してもよい。
【００３３】
［変形例４］
番組コンテンツを放送してから一定時間後までは共有を許可する、又は、番組コンテンツを放送してから一定時間経過しないと共有ができないようにしてもよい。
また、番組コンテンツ放送終了後でないと、第２のコンテンツ再生装置１においてコンテンツの再生ができないようにしてもよい。コンテンツによっては放送の曜日やタイミングが異なるため、その地域での放送前に閲覧を防止することで、本放送の視聴率が下がらないようにする効果がある。
【００３４】
［変形例５］
コンテンツを共有できる（共有ＵＲＩの生成を指示することができる）ユーザを限定してもよい。例えば第１のコンテンツ再生装置１になり得るコンテンツ再生装置のユーザを有料等によって限定するようにしてもよい。
【００３５】
［変形例６］
本発明に係るコンテンツ配信装置は、実施形態で説明したようにコンテンツ配信装置２の機能の全てを一体に備えた装置によっても実現可能であるし、コンテンツ配信装置２の機能を、さらに複数の装置に分散して実装したものであってもよい。
また、コンテンツ再生装置１は、スマートホンやタブレットなどの無線通信を行う装置に限らず、例えばノートブック型のパーソナルコンピュータなどの有線通信を行う装置であってもよい。
【００３６】
［変形例７］
本発明は、コンテンツ配信装置２が行う情報処理方法や、コンピュータをコンテンツ配信装置２として機能させるためのプログラムといった形態でも実施が可能である。かかるプログラムは、光ディスク等の記録媒体に記録した形態で提供されたり、インターネット等のネットワークを介して、コンピュータにダウンロードさせ、これをインストールして利用可能にするなどの形態で提供されたりすることが可能である。
【符号の説明】
【００３７】
１・・・コンテンツ再生装置、１１・・・制御部、１２・・・無線通信部、１３・・・記憶部、１４・・・ＵＩ部、１１０・・・記憶手段、１２０・・・共有情報送信手段、１３０・・・表示位置決定部、１４０・・・表示条件設定部、１５０・・・表示制御部、２・・・コンテンツ配信装置、２１・・・制御部、２２・・・通信部、２３・・・記憶部、３・・・ネットワーク。
【図１】
2018005330.tif 000003
【図２】
2018005330.tif 000004
【図３】
2018005330.tif 000005
【図４】
2018005330.tif 000006
【図５】
2018005330.tif 000007
【図６】
2018005330.tif 000008
【図７】
2018005330.tif 000009
【図８】
2018005330.tif 000010
【図９】
2018005330.tif 000011
【図１０】
2018005330.tif 000012